(57)【要約】【課題】電波障害を生じることなく十分な強度と、防水機能を備えた撮影装置を提供すること。【解決手段】撮影ケース１０には、カメラモジュール１１と、電源ケーブル４０を接続する撮影ケース側コネクタ１４と、カメラモジュール１１で撮影した画像データを送信するアンテナ部１３ａとを備え、バッテリーケース２０には、電源ケーブル４０を接続するバッテリーケース側コネクタ２４を備え、電源ケーブル４０によって、撮影ケース側コネクタ１４とバッテリーケース側コネクタ２４を接続して用い、撮影ケース１０の一側面を高所作業用のバスケット２に近接させて、撮影ケース１０をバスケット２に取り付けて用い、一側面に対向する撮影ケース１０の他側面にアンテナ部１３ａを配置したことを特徴とする。【選択図】        図２
2018182625.tif 000002
【特許請求の範囲】
【請求項１】
防水機能を備えた撮影ケースと、防水機能を備えたバッテリーケースとを有し、
前記撮影ケースには、
カメラモジュールと、
電源ケーブルを接続する撮影ケース側コネクタと、
前記カメラモジュールで撮影した画像データを送信するアンテナ部と
を備え、
前記バッテリーケースには、
前記電源ケーブルを接続するバッテリーケース側コネクタを備え、
前記電源ケーブルによって、前記撮影ケース側コネクタと前記バッテリーケース側コネクタを接続して用い、
前記撮影ケースの一側面を高所作業用のバスケットに近接させて、前記撮影ケースを前記バスケットに取り付けて用いる撮影装置であって、
前記一側面に対向する前記撮影ケースの他側面側に、少なくとも１つの前記アンテナ部を配置した
ことを特徴とする撮影装置。
【請求項２】
前記撮影ケースには、
前記カメラモジュールで撮影した画像データを処理する画像処理回路基板と、
前記画像処理回路基板で処理した前記画像データを無線通信により送信する通信回路基板と、
前記撮影ケース側コネクタに接続されて前記画像処理回路基板及び前記通信回路基板に電源を供給する電源回路基板と
を備え、
前記撮影ケースを、
前記カメラモジュールと前記撮影ケース側コネクタとを取り付ける筐体と、
前記筐体の開口面を覆う蓋体と
で構成し、
前記筐体の内底面を前記撮影ケースの前記一側面とし、
前記画像処理回路基板、前記通信回路基板、及び前記電源回路基板を、前記撮影ケースの前記他側面側に配置した前記アンテナ部よりも、前記筐体の前記内底面側に配置した
ことを特徴とする請求項１に記載の撮影装置。
【請求項３】
前記画像処理回路基板を前記筐体の前記蓋体側に配置し、
前記通信回路基板を前記画像処理回路基板よりも前記カメラモジュール側に配置した
ことを特徴とする請求項２に記載の撮影装置。
【請求項４】
凸部と、前記凸部の周囲に形成されたフランジ部と、前記フランジ部に形成されたフランジねじ孔とを有するレンズカバーを備え、
前記筐体に第１開口部を形成し、
前記第１開口部の周囲に複数の第１ねじ孔を形成し、
前記レンズカバーの前記凸部を前記第１開口部に配置し、
前記第１ねじ孔及び前記フランジねじ孔に挿通させた第１ねじによって、前記カメラモジュールを前記筐体に固定し、
前記フランジ部と前記筐体との間に第１止水材を設けた
ことを特徴とする請求項２又は請求項３に記載の撮影装置。
【請求項５】
カメラねじを内周面に形成した凹部、及び前記凹部の背面に形成したボルト部を有するカメラねじ部材と、
前記ボルト部に対応するカメラねじ部材固定ナットと、
前記カメラねじ部材固定ナットによって前記カメラねじ部材に固定されるカメラねじ部材固定板材と
を備え、
前記筐体に第２開口部を形成し、
前記第２開口部の周囲に複数の第２ねじ孔を形成し、
前記カメラねじ部材の前記凹部を前記第２開口部に配置し、
前記第２ねじ孔に挿通させた第２ねじによって、前記カメラねじ部材固定板材を前記筐体に固定し、
前記カメラねじ部材固定板材と前記筐体との間に第２止水材を設けた
ことを特徴とする請求項２から請求項４のいずれかに記載の撮影装置。
【請求項６】
前記第２ねじを、前記筐体の外面より外に突出させない
ことを特徴とする請求項５に記載の撮影装置。
【請求項７】
前記バッテリーケースには、
バッテリーパックを収納するバッテリー収納空間と、
前記電源ケーブルを収納する電源ケーブル収納空間と
が形成され、
前記バッテリーケース側コネクタには、前記バッテリー収納空間に端部を延出させた配線が接続され、
前記配線の前記端部と前記バッテリーパックとを脱着可能な接続とした
ことを特徴とする請求項１から請求項６のいずれかに記載の撮影装置。
【発明の詳細な説明】
【技術分野】
【０００１】
本発明は、例えば梯子車のバスケットに設置可能な撮影装置に関する。
【背景技術】
【０００２】
特許文献１は、梯子の先端に取り付けたバスケットにカメラを設置し、このカメラから送信される画像を、遠隔地で受信して表示する監視システムを提案している。
【先行技術文献】
【特許文献】
【０００３】
【特許文献１】特開２００３−１３５６１８号公報
【発明の概要】
【発明が解決しようとする課題】
【０００４】
特許文献１で提案されているようなカメラを実現する上では、撮影ケースは防水機能と強度を持ち、更に電波障害を生じにくい構成にする必要がある。
【０００５】
本発明は、電波障害を生じることなく十分な強度を備えた撮影装置を提供することを目的とする。
また本発明は、防水機能を備えた撮影装置を提供することを目的とする。
【課題を解決するための手段】
【０００６】
請求項１記載の本発明の撮影装置は、防水機能を備えた撮影ケースと、防水機能を備えたバッテリーケースとを有し、前記撮影ケースには、カメラモジュールと、電源ケーブルを接続する撮影ケース側コネクタと、前記カメラモジュールで撮影した画像データを送信するアンテナ部とを備え、前記バッテリーケースには、前記電源ケーブルを接続するバッテリーケース側コネクタを備え、前記電源ケーブルによって、前記撮影ケース側コネクタと前記バッテリーケース側コネクタを接続して用い、前記撮影ケースの一側面を高所作業用のバスケットに近接させて、前記撮影ケースを前記バスケットに取り付けて用いる撮影装置であって、前記一側面に対向する前記撮影ケースの他側面側に、少なくとも１つの前記アンテナ部を配置したことを特徴とする。
請求項２記載の本発明は、請求項１に記載の撮影装置において、前記撮影ケースには、前記カメラモジュールで撮影した画像データを処理する画像処理回路基板と、前記画像処理回路基板で処理した前記画像データを無線通信により送信する通信回路基板と、前記撮影ケース側コネクタに接続されて前記画像処理回路基板及び前記通信回路基板に電源を供給する電源回路基板とを備え、前記撮影ケースを、前記カメラモジュールと前記撮影ケース側コネクタとを取り付ける筐体と、前記筐体の開口面を覆う蓋体とで構成し、前記筐体の内底面を前記撮影ケースの前記一側面とし、前記画像処理回路基板、前記通信回路基板、及び前記電源回路基板を、前記撮影ケースの前記他側面側に配置した前記アンテナ部よりも、前記筐体の前記内底面側に配置したことを特徴とする。
請求項３記載の本発明は、請求項２に記載の撮影装置において、前記画像処理回路基板を前記筐体の前記蓋体側に配置し、前記通信回路基板を前記画像処理回路基板よりも前記カメラモジュール側に配置したことを特徴とする。
請求項４記載の本発明は、請求項２又は請求項３に記載の撮影装置において、凸部と、前記凸部の周囲に形成されたフランジ部と、前記フランジ部に形成されたフランジねじ孔とを有するレンズカバーを備え、前記筐体に第１開口部を形成し、前記第１開口部の周囲に複数の第１ねじ孔を形成し、前記レンズカバーの前記凸部を前記第１開口部に配置し、前記第１ねじ孔及び前記フランジねじ孔に挿通させた第１ねじによって、前記カメラモジュールを前記筐体に固定し、前記フランジ部と前記筐体との間に第１止水材を設けたことを特徴とする。
請求項５記載の本発明は、請求項２から請求項４のいずれかに記載の撮影装置において、カメラねじを内周面に形成した凹部、及び前記凹部の背面に形成したボルト部を有するカメラねじ部材と、前記ボルト部に対応するカメラねじ部材固定ナットと、前記カメラねじ部材固定ナットによって前記カメラねじ部材に固定されるカメラねじ部材固定板材と
を備え、前記筐体に第２開口部を形成し、前記第２開口部の周囲に複数の第２ねじ孔を形成し、前記カメラねじ部材の前記凹部を前記第２開口部に配置し、前記第２ねじ孔に挿通させた第２ねじによって、前記カメラねじ部材固定板材を前記筐体に固定し、前記カメラねじ部材固定板材と前記筐体との間に第２止水材を設けたことを特徴とする。
請求項６記載の本発明は、請求項５に記載の撮影装置において、前記第２ねじを、前記筐体の外面より外に突出させないことを特徴とする。
請求項７記載の本発明は、請求項１から請求項６のいずれかに記載の撮影装置において、前記バッテリーケースには、バッテリーパックを収納するバッテリー収納空間と、前記電源ケーブルを収納する電源ケーブル収納空間とが形成され、前記バッテリーケース側コネクタには、前記バッテリー収納空間に端部を延出させた配線が接続され、前記配線の前記端部と前記バッテリーパックとを脱着可能な接続としたことを特徴とする。
【発明の効果】
【０００７】
本発明の撮影装置によれば、アンテナ部からの無線通信信号のバスケットによる減衰を少なくできる。
【図面の簡単な説明】
【０００８】
【図１】本発明の一実施例による撮影装置の構成図
【図２】（ａ）蓋体を外した状態での撮影ケースの概略斜視図、（ｂ）撮影ケースの概略断面図
【図３】（ａ）撮影ケースの概略斜視図、（ｂ）撮影ケースの要部断面図
【図４】（ａ）撮影ケースの側面図、（ｂ）図４（ａ）のＸ−Ｘ線断面図、（ｃ）図４（ａ）のＹ−Ｙ線断面図
【図５】同撮影装置に用いるバッテリーケースの構成図
【図６】同撮影装置に用いる撮影ケースの他の構成図
【図７】同撮影装置の設置状態の一例を示す構成図
【発明を実施するための形態】
【０００９】
本発明の第１の実施の形態による撮影装置は、バスケットに近接させる撮影ケースの一側面に対向する撮影ケースの他側面側に、少なくとも１つのアンテナ部を配置したものである。本実施の形態によれば、アンテナ部からの無線通信信号のバスケットによる減衰を少なくできる。
【００１０】
本発明の第２の実施の形態による撮影装置は、撮影ケースには、カメラモジュールで撮影した画像データを処理する画像処理回路基板と、画像処理回路基板で処理した画像データを無線通信により送信する通信回路基板と、撮影ケース側コネクタに接続されて画像処理回路基板及び通信回路基板に電源を供給する電源回路基板とを備え、撮影ケースを、カメラモジュールと撮影ケース側コネクタとを取り付ける筐体と、筐体の開口面を覆う蓋体とで構成し、筐体の内底面を撮影ケースの一側面とし、画像処理回路基板、通信回路基板、及び電源回路基板を、撮影ケースの他側面側に配置したアンテナ部よりも、筐体の内底面側に配置したものである。本実施の形態によれば、筐体の内底面側に、画像処理回路基板、通信回路基板、及び電源回路基板を配置することで、電波の伝播経路を確保できる。
【００１１】
本発明の第３の実施の形態は、第２の実施の形態による撮影装置において、画像処理回路基板を筐体の蓋体側に配置し、通信回路基板を画像処理回路基板よりもカメラモジュール側に配置したものである。本実施の形態によれば、画像処理回路基板とカメラモジュールとを離して配置できるのでカメラモジュールと画像処理回路基板との接続にフレキシブル基板を用いることができる。
【００１２】
本発明の第４の実施の形態は、第２又は第３の実施の形態による撮影装置において、凸部と、凸部の周囲に形成されたフランジ部と、フランジ部に形成されたフランジねじ孔とを有するレンズカバーを備え、筐体に第１開口部を形成し、第１開口部の周囲に複数の第１ねじ孔を形成し、レンズカバーの凸部を第１開口部に配置し、第１ねじ孔及びフランジねじ孔に挿通させた第１ねじによって、カメラモジュールを筐体に固定し、フランジ部と筐体との間に第１止水材を設けたものである。本実施の形態によれば、筐体に第１開口部と複数の第１ねじ孔とを開けるだけで、カメラモジュールを筐体に取り付けることができ、フランジ部と筐体との間に設けた第１止水材で防水機能を備えることができる。
【００１３】
本発明の第５の実施の形態は、第２から第４のいずれかの実施の形態による撮影装置において、カメラねじを内周面に形成した凹部、及び凹部の背面に形成したボルト部を有するカメラねじ部材と、ボルト部に対応するカメラねじ部材固定ナットと、カメラねじ部材固定ナットによってカメラねじ部材に固定されるカメラねじ部材固定板材とを備え、筐体に第２開口部を形成し、第２開口部の周囲に複数の第２ねじ孔を形成し、カメラねじ部材の凹部を第２開口部に配置し、第２ねじ孔に挿通させた第２ねじによって、カメラねじ部材固定板材を筐体に固定し、カメラねじ部材固定板材と筐体との間に第２止水材を設けたものである。本実施の形態によれば、筐体に第２開口部と複数の第２ねじ孔とを開けるだけで、カメラねじ部材を筐体に取り付けることができ、カメラねじ部材固定板材と筐体との間に設けた第２止水材で防水機能を備えることができる。
【００１４】
本発明の第６の実施の形態は、第５の実施の形態による撮影装置であって、第２ねじを、筐体の外面より外に突出させないものである。本実施の形態によれば、カメラねじを使って撮影ケースを設置する場合に、第２ねじの影響なく設置できる。
【００１５】
本発明の第７の実施の形態は、第１から第６のいずれかの実施の形態による撮影装置であって、バッテリーケースには、バッテリーパックを収納するバッテリー収納空間と、電源ケーブルを収納する電源ケーブル収納空間とが形成され、バッテリーケース側コネクタには、バッテリー収納空間に端部を延出させた配線が接続され、配線の端部とバッテリーパックとを脱着可能な接続としたものである。本実施の形態によれば、撮影ケース側コネクタとの接続に用いる電源ケーブルをバッテリーケース内に収納できるため搬送の利便性が高く、またバッテリーパックが配線と脱着可能なため、バッテリーパックの取り替えによって現場での継続した利用が可能となる。
【実施例】
【００１６】
以下本発明の一実施例による撮影装置について説明する。
図１は本実施例による撮影装置の構成図である。
図１（ａ）に示すように、本実施例による撮影装置は、防水機能を備えた撮影ケース１０と、防水機能を備えたバッテリーケース２０とを有し、撮影ケース１０で撮影した画像データは通信端末装置３０に送信される。
図１（ｂ）に示すように、撮影ケース１０とバッテリーケース２０とは、電源ケーブル４０で接続されて電源が供給される。
【００１７】
図２は本実施例による撮影装置に用いる撮影ケースの構成図である。
図２（ａ）は、蓋体を外した状態での撮影ケースの概略斜視図、図２（ｂ）は撮影ケースの概略断面図である。
撮影ケース１０には、カメラモジュール１１と、カメラモジュール１１で撮影した画像データを処理する画像処理回路基板１２と、画像処理回路基板１２で処理した画像データを無線通信により送信する通信回路基板１３と、電源ケーブル４０を接続する撮影ケース側コネクタ１４と、撮影ケース側コネクタ１４に接続されて画像処理回路基板１２及び通信回路基板１３に電源を供給する電源回路基板１５と、補強板材１６と、カメラねじ部材１７とを備えている。
通信回路基板１３には、２つのアンテナ部１３ａを実装している。
補強板材１６は、樹脂板で形成することができるが、強度を持たせるためには金属板を用いる。電源回路基板１５は、例えばＤＣ／ＤＣコンバータであり、車両電源からの１２Ｖ又は２４Ｖの電源供給と、バッテリーケース２０からの５Ｖの電源供給とのいずれでも動作可能としている。
【００１８】
撮影ケース１０は、カメラモジュール１１と撮影ケース側コネクタ１４とを取り付ける筐体１０Ａと、筐体１０Ａの開口面を覆う蓋体１０Ｂとで構成している。
筐体１０Ａの内底面には、複数の支持部１０Ｃを形成している。補強板材１６は、支持部１０Ｃを形成している筐体１０Ａの内底面に近接して配置する。
画像処理回路基板１２、通信回路基板１３、及び電源回路基板１５は補強板材１６に固定され、補強板材１６は支持部１０Ｃによって筐体１０Ａ内に固定される。
画像処理回路基板１２と通信回路基板１３とは、筐体１０Ａの蓋体１０Ｂ側に配置し、電源回路基板１５は、画像処理回路基板１２及び通信回路基板１３に対して、筐体１０Ａの内底面側に配置している。補強板材１６は、支持部１０Ｃと電源回路基板１５との間に配置している。
通信回路基板１３は画像処理回路基板１２よりもカメラモジュール１１側に配置している。画像処理回路基板１２とカメラモジュール１１とを離して配置することでカメラモジュール１１と画像処理回路基板１２との接続にフレキシブル基板（図示せず）を用いても、引き回しがしやすい。
２つのアンテナ部１３ａは、支持部１０Ｃを形成している筐体１０Ａの内底面（一側面）に対向する面（他側面）側、すなわち蓋体１０Ｂに近接させて配設することが好ましい。
【００１９】
本実施例によれば、アンテナ部１３ａを実装した通信回路基板１３を筐体１０Ａの蓋体１０Ｂ側に配置することで、電波の伝播経路を確保しているため、筐体１０Ａの内底面側には金属製の補強板材１６を配置できる。
【００２０】
図３を用いてカメラモジュールの取付について説明する。
図３（ａ）は撮影ケースの概略斜視図、図３（ｂ）は撮影ケースの要部断面図である。
筐体１０Ａには、円形の第１開口部１０Ｄと、第１開口部１０Ｄの周囲に複数の第１ねじ孔１０Ｅを形成している。
レンズカバー５０は、透明材料によって形成され、有底筒状の凸部５１と、凸部５１の周囲に形成されたフランジ部５２と、フランジ部５２に形成されたフランジねじ孔５３とを有する。
レンズカバー５０の凸部５１は、筐体１０Ａの内部から第１開口部１０Ｄに配置される。
レンズカバー５０とカメラモジュール１１との間には高ナット６２が配置され、一方の第１ねじ６０と他方の第１ねじ６１は高ナット６２によって締め付けられる。カメラモジュール１１には、第１ねじ６０が挿通できる孔１１ａを備えている。一方の第１ねじ６０は、筐体１０Ａの外部から第１ねじ孔１０Ｅ及びフランジねじ孔５３に挿通されて高ナット６２で締結される。他方の第１ねじ６１は、カメラモジュール１１の孔１１ａに挿通されて高ナット６２で締結される。一方の第１ねじ６０はシールビスが好ましいが、単なるビスに止水材を設けたものでもよい。
一方の第１ねじ６０と他方の第１ねじ６１とを高ナット６２を用いて締め付けることで、レンズカバー５０とカメラモジュール１１は、筐体１０Ａに固定される。
フランジ部５２と筐体１０Ａとの間には第１止水材７０を設けている。第１止水材７０には、筐体１０Ａのテーパーや部品の公差を吸収できる程度の硬度と伸縮性を有する材料を用いることができ、例えばゴムスポンジやシリコンゴムを用いることができる。
第１ねじ６０、６１の締結によって、レンズカバー５０はカメラモジュール１１とともに筐体１０Ａの内面に押しつけられる。従って、フランジ部５２と筐体１０Ａとの間に設けた第１止水材７０、及び一方の第１ねじ６０によって防水機能を備えることができる。
【００２１】
本実施例によれば、筐体１０Ａに第１開口部１０Ｄと複数の第１ねじ孔１０Ｅとを開けるだけで、カメラモジュール１１を筐体１０Ａに取り付けることができ、フランジ部５２と筐体１０Ａとの間に設けた第１止水材７０、及び一方の第１ねじ６０で防水機能を備えることができる。
【００２２】
図４を用いてカメラねじ部材の取付について説明する。
図４（ａ）は撮影ケースの側面図、図４（ｂ）は図４（ａ）のＸ−Ｘ線断面図、図４（ｃ）は図４（ａ）のＹ−Ｙ線断面図である。
筐体１０Ａには、円形の第２開口部１０Ｆと、第２開口部１０Ｆの周囲に複数の第２ねじ孔１０Ｇを形成している。
カメラねじ部材１７は、カメラねじを内周面に形成した凹部１７Ａと、凹部１７Ａの背面に形成したボルト部１７Ｂとを有する。
また、カメラねじ部材１７は、ボルト部１７Ｂに対応するカメラねじ部材固定ナット１７Ｃと、カメラねじ部材固定ナット１７Ｃによってカメラねじ部材１７に固定されるカメラねじ部材固定板材１７Ｄと、凹部１７Ａとカメラねじ部材固定板材１７Ｄとの間に配置される止水材１７Ｆを備えている。止水材１７Ｆはボルト部１７Ｂ周りの防水機能を有する。止水材１７Ｆにはシールワッシャーを用いることができる。
カメラねじ部材１７の凹部１７Ａは、筐体１０Ａの外部から第２開口部１０Ｆに配置される。カメラねじ部材１７は、筐体１０Ａの外面より外に突出させない。
【００２３】
第２ねじ８０は、筐体１０Ａの外部から第２ねじ孔１０Ｇに挿通される。第２ねじ８０には第２ナット８１が締結される。筐体１０Ａとカメラねじ部材固定板材１７Ｄとの間にはスペーサ８２が配置され、スペーサ８２を第２ねじ８０と第２ナット８１で締め付ける。
第２ねじ８０には皿ねじを用いることで、筐体１０Ａの外面より外に突出させないことが好ましい。第２ナット８１には袋ナットが好ましいが、単なるナットにシーリング材を塗布したものでもよい。
カメラねじ部材固定板材１７Ｄには、第２ねじ８０が挿通できる孔１７Ｅを備えている。第２ねじ８０を孔１７Ｅに挿通して第２ねじ８０と第２ナット８１とでスペーサ８２を締め付けることで、カメラねじ部材１７は、筐体１０Ａに固定される。
カメラねじ部材固定板材１７Ｄと筐体１０Ａとの間には第２止水材９０を設けている。第２止水材９０には、筐体１０Ａのテーパーや部品の公差を吸収できる程度の硬度と伸縮性を有する材料を用いることができ、例えばゴムスポンジやシリコンゴムを用いることができる。
また、カメラねじ部材固定板材１７Ｄと第２ナット８１との間には第３止水材９１を設けている。第３止水材９１にはシールワッシャーを用いることができる。
【００２４】
第２ねじ８０と第２ナット８１との締結によって、カメラねじ部材１７はカメラねじ部材固定板材１７Ｄとともに筐体１０Ａの内面に押しつけられる。従って、カメラねじ部材固定板材１７Ｄと筐体１０Ａとの間に設けた第２止水材９０によって、カメラねじ部材１７と第２開口部１０Ｆとの間での防水機能を備えることができる。
また、第２ねじ８０と第２ナット８１との締結によって、第３止水材９１はカメラねじ部材固定板材１７Ｄと第２ナット８１とで挟み込まれる。第２ナット８１を袋ナットとしているため、第２ねじ８０と第２ねじ孔１０Ｇとの間から侵入する水は、第３止水材９１によって阻止される。
【００２５】
本実施例によれば、筐体１０Ａに第２開口部１０Ｆと複数の第２ねじ孔１０Ｇとを開けるだけで、カメラねじ部材１７を筐体１０Ａに取り付けることができ、カメラねじ部材固定板材１７Ｄと筐体１０Ａとの間に設けた第２止水材９０及び第２ナット８１で防水機能を備えることができる。
また本実施例によれば、第２ねじ８０を、筐体１０Ａの外面より外に突出させないことで、カメラねじを使って撮影ケース１０を設置する場合に、第２ねじ８０の影響なく設置できる。
【００２６】
図５は本実施例による撮影装置に用いるバッテリーケースの構成図である。
図５（ａ）は、バッテリーケース側コネクタ及びバッテリーケースの内部を示す要部斜視図、図５（ｂ）はバッテリーケースの内部の収納状態を示す要部斜視図、図５（ｃ）はバッテリーケースの内部の更に要部を示す斜視図である。
バッテリーケース２０の内部には、バッテリーパック２１を収納するバッテリー収納空間２２と、電源ケーブル４０を収納する電源ケーブル収納空間２３とを形成している。
バッテリーケース２０は、電源ケーブル４０を接続するバッテリーケース側コネクタ２４を備えている。
バッテリーケース側コネクタ２４には、バッテリー収納空間２２に端部２５ａを延出させた配線２５が接続され、配線２５の端部２５ａとバッテリーパック２１とを脱着可能な接続としている。
【００２７】
図６は本実施例による撮影装置に用いる撮影ケースの他の構成図である。
撮影ケース１０には、カメラモジュール１１と、カメラモジュール１１で撮影した画像データを処理する画像処理回路基板１２と、画像処理回路基板１２で処理した画像データを無線通信により送信する通信回路基板（通信装置）１３と、電源ケーブル４０を接続する撮影ケース側コネクタ１４と、撮影ケース側コネクタ１４に接続されて画像処理回路基板１２及び通信回路基板１３に電源を供給する電源回路基板１５と、補強板材１６と、カメラねじ部材１７とを備えている。
撮影ケース１０には、２つのアンテナ部１３ａ、１３ｂを実装している。
補強板材１６は、樹脂板で形成することができるが、強度を持たせるためには金属板を用いる。電源回路基板１５は、例えばＤＣ／ＤＣコンバータであり、車両電源からの１２Ｖ又は２４Ｖの電源供給と、バッテリーケース２０からの５Ｖの電源供給とのいずれでも動作可能としている。
【００２８】
撮影ケース１０は、カメラモジュール１１と撮影ケース側コネクタ１４とを取り付ける筐体１０Ａと、筐体１０Ａの開口面を覆う蓋体１０Ｂとで構成している。
筐体１０Ａの内底面には、複数の支持部１０Ｃを形成している。補強板材１６は、支持部１０Ｃを形成している筐体１０Ａの内底面に近接して配置する。
画像処理回路基板１２、通信回路基板１３、電源回路基板１５、及び補強板材１６は支持部１０Ｃによって筐体１０Ａ内に固定される。
補強板材１６は、支持部１０Ｃと電源回路基板１５との間に配置している。
本実施例では、２つのアンテナ部１３ａ、１３ｂは、指向性を備えたアンテナであり、撮影ケース１０の梯子車のバスケット２への設置時には下方に向くように傾斜して配置している。
少なくとも１つのアンテナ部１３ａは、支持部１０Ｃを形成している筐体１０Ａの内底面（一側面）に対向する面（他側面）側、すなわち蓋体１０Ｂに近接させて配設することが好ましい。
【００２９】
本実施例によれば、少なくとも１つのアンテナ部１３ａは、支持部１０Ｃを形成している筐体１０Ａの内底面に対向する面、すなわち蓋体１０Ｂに近接させて配置することで、電波の伝播経路を確保しているため、筐体１０Ａの内底面側には金属製の補強板材１６を配置できる。
【００３０】
図７は本発明による撮影装置の設置状態の一例を示す構成図である。
本発明による撮影装置に用いる撮影ケース１０は、梯子１の先端に取り付けたバスケット２の側部に設置される。
このような高所作業用のバスケット２は、金属構造物であり無線通信信号を減衰させてしまう。
本発明の撮影ケース１０は、支持部１０Ｃを形成している筐体１０Ａの内底面に補強板材１６を近接して配置し、筐体１０Ａの内底面に対向する撮影ケース１０の他側面側に、少なくとも１つのアンテナ部１３ａを配置している。
従って、筐体１０Ａの内底面側をバスケット２の側部に近接するように撮影ケース１０をバスケット２に取り付けることで、バスケット２による無線通信信号への影響を少なくできる。
また、図６に示す撮影ケース１０においては、指向性を備えたアンテナ部１３ａ、１３ｂを、下方に向けて配置しているため、地面方向への確実な送信を行える。
【００３１】
本実施例によれば、撮影ケース側コネクタ１４との接続に用いる電源ケーブル４０をバッテリーケース２０内に収納できるため搬送の利便性が高く、またバッテリーパック２１が配線２５と脱着可能なため、バッテリーパック２１の取り替えによって現場での継続した利用が可能となる。
【産業上の利用可能性】
【００３２】
本発明は、梯子の先端に取り付けたバスケットに取り付けることができ、またバスケットから取り外して火災現場で携帯できる撮影装置として最適である。
【符号の説明】
【００３３】
１０  撮影ケース
１０Ａ  筐体
１０Ｂ  蓋体
１０Ｃ  支持部
１０Ｄ  第１開口部
１０Ｅ  第１ねじ孔
１０Ｆ  第２開口部
１０Ｇ  第２ねじ孔
１１  カメラモジュール
１１ａ  孔
１２  画像処理回路基板
１３  通信回路基板
１３ａ、１３ｂ  アンテナ部
１４  撮影ケース側コネクタ
１５  電源回路基板
１６  補強板材
１７  カメラねじ部材
１７Ａ  凹部
１７Ｂ  ボルト部
１７Ｃ  カメラねじ部材固定ナット
１７Ｄ  カメラねじ部材固定板材
１７Ｅ  孔
１７Ｆ  止水材
２０  バッテリーケース
２１  バッテリーパック
２２  バッテリー収納空間
２３  電源ケーブル収納空間
２４  バッテリーケース側コネクタ
２５  配線
２５ａ  端部
３０  通信端末装置
４０  電源ケーブル
５０  レンズカバー
５１  凸部
５２  フランジ部
５３  フランジねじ孔
６０、６１  第１ねじ
６２  高ナット
７０  第１止水材
８０  第２ねじ
８１  第２ナット
８２  スペーサ
９０  第２止水材
９１  第３止水材
【図１】
2018182625.tif 000003
【図２】
2018182625.tif 000004
【図３】
2018182625.tif 000005
【図４】
2018182625.tif 000006
【図５】
2018182625.tif 000007
【図６】
2018182625.tif 000008
【図７】
2018182625.tif 000009